(57)【要約】  【課題】  収納場所の問題がなく、重量的にも軽く、製造コスト的にも有利で、背負い者の肩に掛かる荷重も軽減でき、優れた取り扱い性を有する背負い搬送具を提供する。  【解決手段】  人の臀部を下方から支える臀部支持部２と、臀部支持部２の一端部から該臀部支持部２の軸方向に伸延された腰当接部３と、腰当接部３の端部に連結され当該腰当接部３の長手軸線に対しそれぞれの長手軸線が外方に向うように形成された一対の上部背負いベルト４と、臀部支持部２の他端に連結された一対の下部背負いベルト５と、を有し、被背負い者の脇に挿通した上部背負いベルト４を下部背負いベルト５と接続して腕挿通部８を形成し、腕挿通部８に腕を通し臀部支持部２に跨り腰当接部３により腰部を支持した状態で被背負い者を背負うことを特徴とする。【選択図】          図１
0003108821.tif 000002
【実用新案登録請求の範囲】
【請求項１】
人の臀部を下方から支える臀部支持部と、当該臀部支持部の一端部から該臀部支持部の軸方向に伸延された腰当接部と、該腰当接部の端部に連結され当該腰当接部の長手軸線に対しそれぞれの長手軸線が外方に向うように形成された一対の上部背負いベルトと、前記臀部支持部の他端に連結された一対の下部背負いベルトと、を有し、被背負い者の脇に挿通した前記上部背負いベルトを下部背負いベルトと接続して腕挿通部を形成し、当該腕挿通部に腕を通し前記臀部支持部に跨り腰当接部により腰部を支持した状態で被背負い者を背負うことを特徴とする背負い搬送具。
【請求項２】
前記腰当接部は、前記臀部支持部の一端部に基部が連結され、相互に平行に伸延する一対の縦ベルト片と、これら縦ベルト片間を連結する連結ベルト片とからなる請求項１に記載の背負い搬送具。
【請求項３】
前記連結ベルト片は、前記縦ベルト片間に複数本設けたことを特徴とする請求項２に記載の背負い搬送具。
【請求項４】
前記上部背負いベルトと前記下部背負いベルトの少なくとも一方は、当該上部背負いベルトおよび／または前記下部背負いベルトの長さを調整し、両ベルトを連結する連結部材を有することを特徴とする請求項１に記載の背負い搬送具。
【請求項５】
前記下部背負いベルトは、前記連結部材と連結した後に、当該連結部材から伸延された補助ベルトを有し、当該補助ベルトと、前記上部背負いベルトとを補助連結部材により連結し大腿支持部を形成したことを特徴とする背負い搬送具。
【請求項６】
前記上部背負いベルト、前記腰当接部および前記連結ベルト片の内の少なくとも１つは、背負い者の当り面側に背当りパッドが設けられている請求項１〜５のいずれかに記載の背負い搬送具。
【請求項７】
前記上部背負いベルトは、背負い者の前面側で相互に連結し、両上部背負いベルトの相互離間を規制する拡がり規制部材を有する請求項１〜６のいずれかに記載の背負い搬送具。
【請求項８】
前記臀部支持部は、軸方向中央部の幅が細く、両端部の幅が広く形成されていることを特徴とする請求項１に記載の背負い搬送具。
【請求項９】
前記臀部支持部、腰当接部、上部背負いベルトおよび下部背負いベルトは、布により構成したことを特徴とする請求項１〜８のいずれかに記載の背負い搬送具。
【考案の詳細な説明】
【技術分野】
【０００１】
本考案は、災害時や緊急避難時に負傷者、病人、高齢者など背負い、搬送する背負い搬送具に関する。
【背景技術】
【０００２】
背負い搬送具には、従来から赤ちゃんをおんぶする背負子があるが、背負子は、赤ちゃんの臀部を包み込むように保持する臀部保持部を有し、背負いベルトは臀部保持部の長手方向に直状に伸延した構造を有している。
【０００３】
ところが、赤ちゃん用背負子は、赤ちゃんをおんぶすると、荷重がすべて肩に掛かり、長時間にわたっておんぶすると、集中荷重が肩に掛かり、相当の疲労感を覚えることは誰しも経験するところである。
【０００４】
また、背負い搬送具としては、下記特許文献１に開示されているような背負子もある。この背負子は、山岳地での負傷者を搬送するためのもので、種々のフレームを用いて枠体を形成し、これに背当てベルトを取り付けている。
【０００５】
下記特許文献２に開示されている背負子は、合成樹脂製の棒状体を格子状の長方形に形成し、各棒状体の一部を蛇腹状にしたものである。
【特許文献１】登録実用新案第３０６７３８３号公報（要約及び図１等参照）
【特許文献２】登録実用新案第３０２６３６３号公報（要約及び図１等参照）
【考案の開示】
【考案が解決しようとする課題】
【０００６】
しかし、山岳地用背負子や合成樹脂製の背負子は、硬いフレーム材や合成樹脂材を使用しているので、物品の搬送には適していても、緊急時に負傷者や病人などを背負って搬送する場合には、背負子の取り扱いによっては、被背負い者が当該背負子によって負傷する虞があるのみでなく、災害時のように一時に大量に使用するときのために、予め多数準備すれば、嵩張ることになり、収納場所的にも問題である。しかも、このような材料を使用すると、製造コスト的にも不利で、軽量化にも限度がある。
【０００７】
本考案は、上述した従来技術の課題を解決するためになされたもので、収納場所の問題がなく、重量的にも軽く、製造コスト的にも有利で、背負い者の肩に掛かる荷重も軽減でき、優れた取り扱い性を有する背負い搬送具を提供することを目的とする。
【課題を解決するための手段】
【０００８】
上記目的を達成するために、本考案は、人の臀部を下方から支える臀部支持部と、当該臀部支持部の一端部から該臀部支持部の軸方向に伸延された腰当接部と、該腰当接部の端部に連結され当該腰当接部の長手軸線に対しそれぞれの長手軸線が外方に向うように形成された一対の上部背負いベルトと、前記臀部支持部の他端に連結された一対の下部背負いベルトと、を有し、被背負い者の脇に挿通した前記上部背負いベルトを下部背負いベルトと接続して腕挿通部を形成し、当該腕挿通部に腕を通し前記臀部支持部に跨り腰当接部により腰部を支持した状態で被背負い者を背負うことを特徴とする背負い搬送具である。
【考案の効果】
【０００９】
請求項１に記載の考案は、上部背負いベルトに折曲部を設け、一対の上部背負いベルトのそれぞれの長手軸線が腰当接部の長手軸線より外方に向うように形成したので、背負ったときに肩に掛かる荷重が軽減し、搬送を楽に行なうことができる。
【００１０】
請求項２に記載の考案は、腰当接部を一対の縦ベルト片と、これら縦ベルト片間を連結する連結ベルト片とから構成したので、被背負い者の腰から背中に掛けての支持が確実となり、楽な搬送となる。
【００１１】
請求項３に記載の考案は、縦ベルト片間に連結ベルト片を複数本設けたので、被背負い者の腰部の保持が確実で、搬送時の安定性も向上する。
【００１２】
請求項４に記載の考案は、上部背負いベルトと下部背負いベルトを連結部材により連結するので、被背負い者の状態に応じて変更使用が可能となり、優れた取り扱い性を有することになる。また、連結部材は、連結するベルトの長さを調整可能としたので、背負い搬送具を背負い者にぴったりフィットした状態で使用でき、快適な搬送を可能とする。
【００１３】
請求項５に記載の考案は、下部背負いベルトの一部の補助ベルトと上部背負いベルトとを補助連結部材により連結して大腿支持部を形成したので、搬送時に被背負い者は臀部と大腿部で支持され、より安定した快適な搬送が可能となる。
【００１４】
請求項６に記載の考案は、上部背負いベルト、腰当接部および連結ベルト片に背当りパッドを設けると、搬送時に掛かる荷重が和らぐ。
【００１５】
請求項７に記載の考案は、上部背負いベルトに拡がり規制部材を設けると、両上部背負いベルトの相互離間が規制され、さらに安定した搬送が可能となる。
【００１６】
請求項８に記載の考案は、臀部支持部の形状を軸方向中央部の幅が細く、両端部の幅が広く形成すれば、搬送時に男性の下腹部に対する圧迫が緩和され、快適な搬送が可能となる。
【００１７】
請求項９に記載の考案は、構成部材を布により形成すれば、被背負い者の体形に応じて自在に変形するので、体の保持が確実で、しかもソフトに行なうことができる。しかも、全体を折り畳んで収納でき、収納場所をとることもなく、きわめて簡単な構成で軽量化を図ることができ、製造コスト的にも有利である。
【考案を実施するための最良の形態】
【００１８】
以下、本考案の実施の形態を、図面を参照しつつ説明する。
【００１９】
＜第１実施形態＞
図１は本考案の第１実施形態に係る背負い搬送具の概略正面図、図２は図１のパッドを外した状態の腰当接部上部を示す正面図である。
【００２０】
図1において、本実施形態に係る背負い搬送具１は、概して、被背負い者の臀部を下方から支える臀部支持部２と、被背負い者の腰部を支える腰当接部３と、上部背負いベルト４と、下部背負いベルト５と、を有している。これら各構成部材は、全て布により形成することが好ましい。布にすれば、被背負い者の体形に応じて自在に変形するので、体の保持が確実で、しかもソフトに行なうことができる。しかも、全体を折り畳んで収納でき、収納場所をとることもなく、きわめて簡単な構成で軽量化を図ることができ、製造コスト的にも有利となる。布としては、どのようなものであってもよいが、強度的、耐水性などの観点からすれば、ナイロン製が好ましい。
【００２１】
さらに各構成部材につき詳述する。臀部支持部２は、軸方向中央部の幅Ｗ１が細く、上下両端部の幅Ｗ２，Ｗ３が広く形成されている。臀部支持部２の軸方向長さＬは、４０〜６０ｃｍ程度（成人用は、５２ｃｍ程度）であり、被背負い者が跨る部分であるため、中央部の幅Ｗ１は、狭く、両端部の幅Ｗ１，Ｗ２は、広くすることが好ましい。中央部の幅Ｗ１に関しては、男性の下腹部を挟圧しない程度の、１１ｃｍ程度が好ましく、成人用の両端部の幅Ｗ２，Ｗ３は、それぞれ３１ｃｍ,２２ｃｍ程度である。
【００２２】
腰当接部３は、臀部支持部２の一端（上端）であって、その両側端部に端部が縫着された一対の縦ベルト片３１，３２を有している。これら縦ベルト片３１，３２は、相互に所定幅離間され、相互に平行であるが、これら両縦ベルト片３１，３２相互を連結する連結ベルト片３３、３４も両縦ベルト片３１，３２に直交して連結している。連結ベルト片３３、３４を設けると、被背負い者の腰部を安定的に支えることができる。連結ベルト片３３、３４は、被背負い者の腰部を支えるものであるため、必ずしも相互に平行である必要はなく、クロスしたものであってもよい。
【００２３】
上部背負いベルト４は、基端部が腰当接部３の頂部に連続するように縫着され、下部背負いベルト５は、基端部が臀部支持部２の下端部両側に縫着されているが、両ベルト４，５の端部は、連結部材６により長さ調節可能に連結される。
【００２４】
特に、本実施形態の上部背負いベルト４は、図２に示すように、長手軸線が、縦ベルト片３１，３２の長手軸線より外方に向うように、基端部近傍に折曲部４１が設けられている。本搬送具１は、被背負い者の臀部を下方から支え、上部背負いベルト４を被背負い者の脇を通した後、担ぐようにしているが、このようにするには、一対の上部背負いベルト４がそれぞれ外方に向って伸延することが好ましいことから、本実施形態では、上部背負いベルト４の縦ベルト片３１，３２近傍に折曲部４１を形成し、上部背負いベルト４を強制的に外方に向けて伸延するようにしている。
【００２５】
図３はベルト部分の力関係を示す説明図である。
【００２６】
また、このような折曲部４１を形成すると、図３に示すように、肩に掛かる力が軽減し、より担ぎ易くなる。例えば、折曲部４１のない直状のベルトにすれば、ベルトに力Ｆが加わるとすれば、折曲部４１と連結ベルト片３４を設け、上部背負いベルト４が縦ベルト片３１，３２に対し所定角度θだけ傾斜すれば、力Ｆが分力Ｆ１とＦ２となり、分力Ｆ２の水平方向の成分Ｆ３は、連結ベルト片３４で相互に打ち消し合い、分力Ｆ１がベルトに掛かることになるからである。本実施形態では、上部背負いベルト４の軸線と腰当接部３の軸線との間の角度を３０度としているが、このような角度にすれば、背負い者の肩に掛かる力が大幅に低減することになる。
【００２７】
本実施形態の連結部材６は、２つのリング状部材６１，６２からなり、両リング状部材６１，６２間に下部背負いベルト５を挿入して折り返すことにより両ベルト４，５を連結するもので、これにより腕挿通部８（図５参照）を形成することができる。また、この連結部材６を使用すれば、ベルトの長さ調整することもできる。ベルトの長さ調整を行なうと、背負い者の大小に拘わらず背中に被背負い者を密着して担ぐことができ、担ぐ作業が楽にかつ安定的に行なうことができる。
【００２８】
図４は腰当接部上部のパッド取り付ける状態を示す正面図である。
【００２９】
上部背負いベルト４、腰当接部２および連結ベルト片３４の背負い者側には、背当りパッド７が設けられ、背負い者の背中や肩に直接ベルトが食い込まないようにしている。背当りパッド７は、内部のスポンジなどのクッション材を布で包んだものであるが、パッド７の取付けは、例えば、図４に示すように、雄側ファスナー９１と雌側ファスナー９２からなるベルクロファスナー９を用いて行なうことが好ましい。なお、上部背負いベルト４に設ける背当りパッド７は、上部背負いベルト４を包むように筒状に形成し、取付け後に背負い者が好みにより軸方向にスライドし位置調整を容易にできるようにすることが好ましい。
【００３０】
次に、作用を説明する。
【００３１】
ます、被背負い者が、立っていることができるほど元気であれば、上部背負いベルト４と下部背負いベルト５を連結部材６により連結し、腕挿通部８を形成する。これにより搬送具１は、図５に示すような形態となる。そして、被背負い者を臀部支持部２に跨がらせ、両ベルト４，５を被背負い者の脇の下に通す。この状態で、背負い者は、両ベルト４，５の腕挿通部８に腕を通し、担ぐ。
【００３２】
また、被背負い者が立てない場合には、両ベルト４，５を連結する前に、まず、被背負い者の臀部の下に臀部支持部２を設置し、臀部支持部２で股を包むようにする。また上部背負いベルト４を被背負い者の脇の下に通した後、下部背負いベルト５と連結部材６により連結し、腕挿通部８を形成する。そして、両ベルト４，５を引っ張って被背負い者をある程度起こし、背負い者は、両ベルト４，５の腕挿通部８に腕を通し、担ぐ。
【００３３】
被背負い者が背負い者の背中に密着するように、両ベルト４，５の長さを調節すると、被背負い者の臀部を下方から支える臀部支持部２が上昇し、重心が高くなり、より搬送が楽になる。
【００３４】
＜第２実施形態＞
図６は本考案の第２実施形態に係る背負い搬送具の概略正面図で、前記実施形態と同一部材には同一符号を付し説明は省略する。
【００３５】
図６において、本実施形態に係る背負い搬送具１Ａは、概して、下部背負いベルト５を延長して設けられた補助ベルト５１と、上部背負いベルト４に設けられた補助連結部材６３とを連結することにより大腿支持部１０を形成し、搬送時に被背負い者の臀部のみでなく大腿部も支持し、より安定した快適な搬送を可能としたものである。
【００３６】
さらに構成部材につき詳述する。補助ベルト５１は、下部背負いベルト５が連結部材６１，６２と連結された後に、連結部材６１，６２から伸延されたものである。連結部材６１，６２と補助ベルト５１の端部までの間には、補助連結部材６３の雄側部材６４が設けられている。一方、上部背負いベルト４の連結部材６１，６２近傍には、補助ベルト４ａが軸線と傾斜して設けられ、この補助ベルト４ａの先端に補助連結部材６３の雌側部材６５が設けられている。
【００３７】
雄側部材６４と雌側部材６５とは凹凸嵌合されるものであるため、両補助ベルト５１を斜に交差して連結すると、補助ベルト５１がリング状となり、被背負い者の大腿部を支持する大腿支持部１０が形成される。このような大腿支持部１０を形成すれば、搬送時に被背負い者は、臀部が臀部支持部２により支持されるのみでなく、大腿部も大腿支持部１０により支持されることになるので、より安定した快適な搬送が可能となる。
【００３８】
なお、本実施形態では、１本の大腿支持部１０を有するものであるが、これのみでなくさらに多数本有するものであってもよい。
【００３９】
また、図６に示す背負い搬送具１Ａは、上部背負いベルト４に、背負い者の前面側で上部背負いベルト４相互を連結し、両上部背負いベルト４が相互に離間しないように規制する拡がり規制部材１１を有している。
【００４０】
拡がり規制部材１１は、上部背負いベルト４の連結部材６１，６２近傍に一端が縫着された一対の補助ベルト１１ａ，１１ｂであるが、両補助ベルト１１ａ，１１ｂにも先端部に雄側部材６４と雌側部材６５を設け、これら雄側部材６４と雌側部材６５との連結により両上部背負いベルト４の相互離間を規制している。
【００４１】
このような拡がり規制部材１１を形成すれば、両上部背負いベルト４相互間の離れが規制されるので、背負い者は、安定した搬送が可能となる。
【００４２】
なお、拡がり規制部材１１は、第２実施形態のみでなく、第１実施形態に設けてもよいことは言うまでもない。
【００４３】
本考案は、上述した実施形態のみに限定されるものではなく、実用新案登録請求の範囲内で種々変更することが可能である。例えば、連結部材６は、上部背負いベルト４側でなく、下部背負いベルト５側に設けてもよく、両方に設けて連結してもよい。背当りパッド７は、部分的に設けるのみでなく、図６に例示するように、全体的に設けてもよい。折曲部４１の角度θ、臀部支持部２の長さＬ、軸方向中央部の幅Ｗ１は、上述した数値に限定されるものではなく、種々の値を選択することができることは言うまでもない。
【産業上の利用可能性】
【００４４】
本考案に係る背負い搬送具は、災害時や緊急避難時に負傷者、病人、高齢者など背負い、搬送する搬送具として適している。
【図面の簡単な説明】
【００４５】
【図１】本考案の第１実施形態に係る背負い搬送具の概略正面図である。
【図２】図１のパッドを外した状態の腰当接部上部を示す正面図である。
【図３】ベルト部分の力関係を示す説明図である。
【図４】パッドを取り付ける場合の腰当接部上部を示す正面図である。
【図５】同背負い搬送具の使用状態を示す概略斜視図である。
【図６】本考案の第２実施形態に係る背負い搬送具の概略正面図である。
【符号の説明】
【００４６】
１，１Ａ…背負い搬送具、
２…臀部支持部、
３…腰当接部、
３１，３２…縦ベルト片
３３，３４…連結ベルト片、
４…上部背負いベルト、
５…下部背負いベルト、
５１…補助ベルト、
６…連結部材、
６３…補助連結部材、
６４…雄側部材、
６５…雌側部材、
７…背当りパッド、
８…腕挿通部、
１０…大腿支持部、
１１…拡がり規制部材。
【図１】
0003108821.tif 000003
【図２】
0003108821.tif 000004
【図３】
0003108821.tif 000005
【図４】
0003108821.tif 000006
【図５】
0003108821.tif 000007
【図６】
0003108821.tif 000008
【手続補正書】
【提出日】平成17年1月14日(2005.1.14)
【手続補正１】
【補正対象書類名】実用新案登録請求の範囲
【補正対象項目名】請求項５
【補正方法】変更
【補正の内容】
【請求項５】
前記下部背負いベルトは、前記連結部材と連結した後に、当該連結部材から伸延された補助ベルトを有し、当該補助ベルトと、前記上部背負いベルトとを補助連結部材により連結し大腿支持部を形成したことを特徴とする請求項１に記載の背負い搬送具。
【手続補正２】
【補正対象書類名】図面
【補正対象項目名】全図
【補正方法】変更
【補正の内容】
【図１】
0003108821.tif 000009
【図２】
0003108821.tif 000010
【図３】
0003108821.tif 000011
【図４】
0003108821.tif 000012
【図５】
0003108821.tif 000013
【図６】
0003108821.tif 000014